(57)【要約】【課題】多様な映像解像度、モニタ解像度に応じた画像表示領域を決定できる映像・画像信号出力装置を提供する。【解決手段】映像出力手段１０３と、指定の画像領域に画像を出力する画像信号出力手段１０５と、映像画像合成手段１０７に加え、映像出力手段１０３から映像種類・映像解像度、外部モニタ１０９よりモニタ解像度、リモコン１２０より使用者指定解像度を取得して、それらの組合せに基づいて最適な画像表示領域を決定して、当該画像表示領域の画像を出力する画像表示領域通知手段１１３と、前記映像信号と前記画像信号を合成する映像画像合成手段１０７を備える構成とする。【選択図】図１
2006013987.tif 000002
【特許請求の範囲】
【請求項１】
映像信号と画像信号が合成された映像画像信号を表示装置に送出する映像・画像出力装置であって、映像信号を出力する映像出力手段と、指定の画像表示領域に応じた画像信号を出力する画像信号出力手段と、前記映像信号と前記画像信号を受信して合成し、映像画像信号を生成して前記表示装置に送出する映像画像合成手段と、前記表示装置より表示装置解像度を取得するとともに、前記映像出力手段より映像解像度を取得して前記表示装置解像度と前記映像解像度双方に適合した画像表示領域を決定し、前記画像表示領域を前記画像信号出力手段に通知する画像表示領域通知手段を具備することを特徴とする映像・画像出力装置。
【請求項２】
前記映像出力手段は、複数の映像信号取得源から選択的に映像信号を取得して出力するように構成され、前記画像表示領域通知手段は、映像信号取得源を示す映像種別が切り替わったことを検知したときに、画像表示領域を決定し、前回の画像表示領域と比較して変更が必要か否かを判定し、変更が必要な場合は、今回決定した画像表示領域を前記画像信号出力手段に通知することを特徴とする請求項１記載の映像・画像出力装置。
【請求項３】
前記映像信号取得源の一つを、受信したデジタル放送コンテンツとしたことを特徴とする請求項１または請求項２に記載の映像・画像出力装置。
【請求項４】
前記映像信号取得源の一つを、記録媒体より読み出したコンテンツとしたことを特徴とする請求項１または請求項２に記載の映像・画像出力装置。
【請求項５】
前記映像信号取得源の一つを、アナログ放送コンテンツとしたことを特徴とする請求項１または請求項２に記載の映像・画像出力装置。
【請求項６】
前記画像表示領域通知手段は、前記表示装置解像度と前記映像信号解像度に基づいて、映像信号を縮小する必要性の有無を判定し、縮小が必要な場合、映像信号の縮小を指示する映像縮小信号を前記映像出力手段に通知することを特徴とする請求項１乃至請求項５のいずれか１項に記載の映像・画像出力装置。
【請求項７】
前記画像表示領域通知手段は、ピクチャインピクチャの指定を受け付けた場合、ピクチャインピクチャ固有の画像表示領域と前記表示装置解像度に基づいて、前記画像表示領域を決定することを特徴とする請求項１乃至請求項６のいずれか１項に記載の映像・画像出力装置。
【請求項８】
前記画像表示領域通知手段は、映像信号が表示装置に送出されていないことを検知した場合、前記表示装置解像度のみに基づいて、前記画像表示領域を決定することを特徴とする請求項１乃至請求項７のいずれか１項に記載の映像・画像出力装置。
【発明の詳細な説明】
【技術分野】
【０００１】
本発明はテレビ放送を受信して得られる映像信号や、メディアに記録したデータを再生して得られる映像信号、もしくは外部入力により得られる映像信号等の映像信号に画像信号を加えて出力する装置に関する。
【背景技術】
【０００２】
近年のテレビ放送受信機及び録画再生機は、映像に加えて、ＥＰＧ（Ｅｌｅｃｔｒｉｃ  Ｐｒｏｇｒａｍ  Ｇｕｉｄｅ、電子番組案内、以下ＥＰＧという）や操作メニューなどの画像を表示する機能を持つことが一般的となっている。このような、ＥＰＧ表示機能を有するデジタル放送受信機については、たとえば特許文献１に記載されている。画像を表示する場合は、画像が表示される領域を決めて、その領域内に画像を表示する必要がある。画像表示領域は、映像解像度により定まる映像表示領域を越えない範囲で決める必要がある。
【０００３】
従来のアナログ放送受信機及び録画再生機では、アナログ放送の映像解像度は、変化しないのでＥＰＧなど画像が画像表示領域に表示される場合であっても、画像表示領域は、一定の領域でよく、画像表示領域を切り替える必要がなかった。一方、最近急速に普及しているデジタル放送では、受信映像の解像度が変化する。
【０００４】
そのため、デジタル放送受信機では、画像表示領域を、受信映像の解像度によって受信デバイスが切り替えを行っていた。画像表示領域は映像解像度のほかに、デジタル放送受信機に接続する表示装置（通常は、テレビジョンモニタ、以下モニタという）の解像度を考慮して定める必要があるが、デジタル放送受信機では出力先のモニタ解像度が一定の場合、映像解像度のみを考慮して画像表示領域の切り替えを判断する方法が用いられている。
【特許文献１】特開２００２−２７１７１０号公報
【発明の開示】
【発明が解決しようとする課題】
【０００５】
しかしながら、出力先モニタ解像度は一定とは限らない。特に、放送録画再生機では多種多様の出力先モニタとの接続が必要である。さらに使用者の操作による解像度指定も加わる。よって多種多様なモニタ解像度を考慮した画像表示領域の切り替え判定をデジタル放送受信機のように映像解像度のみに基づいて行なう方法では対応できなくなった。さらに、映像解像度は、放送を受信した映像を表示していたのを、記録媒体から読み出した映像信号を表示するように切り替えた場合など、使用中に映像信号が変更される可能性もある。本発明は、前記従来の課題を解決するもので、多様な映像解像度の映像を、多様な解像度のモニタに出力する場合、適切な画像領域を設定できる映像・画像出力装置を提供することを目的とする。
【課題を解決するための手段】
【０００６】
前記従来の課題を解決するために、本願の請求項１記載の映像・画像出力装置は、映像信号と画像信号が合成された映像画像信号を表示装置に送出する映像・画像出力装置であって映像信号を出力する映像出力手段と、指定の画像表示領域に応じた画像信号を出力する画像信号出力手段と、前記映像信号と前記画像信号を受信して合成し、映像画像信号を生成して前記表示装置に送出する映像画像合成手段と、前記表示装置より表示装置解像度を取得するとともに、前記映像出力手段より映像解像度を取得して前記表示装置解像度と前記映像解像度双方に適合した画像表示領域を決定し前記画像表示領域を前記画像信号出力手段に通知する画像表示領域通知手段を具備している。本構成により、映像解像度と表示装置解像度の双方について多種多様な解像度が用いられる場合であっても、映像解像度と表示装置解像度の双方に適合した画像表示領域を決定し、前記領域に画像を表示することができる。
【０００７】
また、本願の請求項２記載の映像・画像出力装置は、請求項１記載の構成に加え、前記映像出力手段は、複数の映像信号取得源から選択的に映像信号を取得して出力するように構成され、前記画像表示領域通知手段は、映像信号取得源を示す映像信号が切り替わったことを検知したときに、画像表示領域を決定し、前回の画像表示領域と比較して変更が必要か否かを判定し、変更が必要な場合は、今回決定した画像表示領域を前記画像信号出力手段に通知することを特徴としている。
【０００８】
本構成により、映像出力手段が複数の映像信号取得源から選択的に映像信号を取得して出力するように構成されており、映像信号取得源が切り替えられ、それにともなって映像の解像度が変化した場合であっても、切り替え後の映像解像度に適合した画像表示領域に画像を表示することが可能である。
【０００９】
また、本願の請求項６記載の発明は、上記の構成に加え、前記表示装置解像度と前記映像信号解像度に基づいて、映像信号を縮小する必要性の有無を判定し、縮小が必要な場合、映像信号の縮小を指示する映像縮小信号を前記映像信号手段に通知することを特徴としている。
【００１０】
本構成により、表示装置解像度の関係や使用者の指定により、映像信号の縮小が必要な場合はまず、映像信号の縮小がなされ、ついで、縮小された映像信号の解像度と表示装置解像度に応じた画像表示領域の決定がなされるので、適切な画像解像度を設定することができる。
【００１１】
また、本願の請求項７記載の映像・画像出力装置は、上記の構成に加え、前記画像表示領域通知手段は、ピクチャインピクチャの指定を受け付けた場合、ピクチャインピクチャ固有の画像表示領域と前記表示装置解像度に基づいて、前記画像表示領域を決定することを特徴としている。
【００１２】
本構成により、使用者がピクチャインピクチャの指定を行なった場合は、映像解像度に関わらず、ピクチャインピクチャ固有の画像表示領域と表示装置解像度のみに基づいて画像表示領域が決定され、ピクチャインピクチャに適した画像表示領域で画像を表示することができる。
【００１３】
また、本願の請求項８記載の映像・画像出力装置は、上記の構成に加え、前記画像表示領域通知手段は、映像信号が表示装置に送出されていないことを検知した場合、前記表示装置解像度のみに基づいて、前記画像表示領域を決定することを特徴とする。
【００１４】
本構成によって、画像のみが表示される場合は、表示装置解像度に適した画像表示領域に画像が表示される。
【発明の効果】
【００１５】
本発明の映像・画像出力装置によれば、デジタルテレビ、デジタル記録メディア再生、外部入力など多様な映像解像度をもつ映像信号、多様な解像度のモニタ、使用者によるモニタ解像度操作に対応して、適切な画面解像度を決定できる。
【発明を実施するための最良の形態】
【００１６】
以下本発明の実施の形態について、図面を参照しながら説明する。
【００１７】
（実施の形態１）
図１は、本発明の実施の形態１における映像・画像出力装置の構成を示すブロック図である。図１において、１０１は本発明の映像・画像出力装置である。１０９は映像・画像出力装置の出力先モニタである。１０２は、記録媒体から読み出された信号であり、Ｂｌｕ−ｌａｙ  Ｄｉｓｋ（以下ＢＤと略す）、ＤＶＤ−ＲＡＭ、ＤＶＤ−Ｒ、ＤＶＤ−Ｖｉｄｅｏなどの記録媒体に記録された信号が読み出されたものである。
【００１８】
映像出力手段１０３は、記録媒体から読み出した信号をデコードして映像信号を分離するとともに、映像解像度を取得する。そして、映像出力手段１０３は、取得した映像信号１０４を、映像画像合成手段１０７に送出する。さらに、映像出力手段１０３は、画像表示領域通知手段１１３から映像縮小信号１１６を受けた場合、当該信号にしたがって、映像を縮小する。また、映像出力手段は、放送（デジタル放送またはアナログ放送）ないし外部入力１１９から取得した信号から映像信号を分離して上記と同様な処理を行なう。
【００１９】
デジタル放送波が入力された場合、映像出力手段１０３はその内部のデジタル放送チューナーを用い、アンテナで受信した任意のチャンネルのデジタル放送波を復調・エラー訂正処理を施し、トランスポートストリーム信号（以下、ＴＳ信号と略す）に変換し、さらにＴＳ信号をＴＳ分離し映像解像度の取得する。映像解像度を画像表示領域通知手段１１３に出力する。さらにＴＳ信号からデコードし、映像縮小信号１１６に従って必要に応じて縮小して映像信号を出力する。さらに映像出力手段１０３は、アナログ放送、外部入力から場合、アナログ−デジタル変換を行い、映像信号を出力する。
【００２０】
１０５は、ＥＰＧ、メニューなどの画像信号を出力する画像信号出力手段である。映像出力手段１０３から出力された映像信号、画像信号出力手段１０５から出力された水平方向１ライン分の画素成分を画像表示領域の垂直成分本持ち、さらに色深度、ＲＧＢ５５５などのカラーフォーマットを持つ画像信号は、映像画像合成手段１０７に送出される。
【００２１】
映像画像合成手段１０７は、画像信号１０６を必要に応じてフォーマット変換を行い、映像信号１０４と合成して映像画像信号１０８を生成し、映像画像拡大手段１１５に送出する。１１５は映像画像拡大手段であり、映像拡大信号１１７に従って、映像画像の拡大処理を行う。また符号化された映像画像信号のデコードも行う。拡大処理が施された拡大映像画像信号１２１は、モニタ１０９に送出され、モニタ１０９により画面に表示される。一方、１２０はリモコンであり、使用者が操作して、解像度を指定することができる。指定された解像度は、使用者指定解像度１１４として１１３は画像表示領域通知手段であり、映像解像度１１０、モニタ解像度１１２と使用者指定解像度１１４から最適な画像表示領域１１１を決定し、画像信号出力手段１０５に通知するとともに、映像縮小信号１１６を、映像出力手段１０３に送出する。画像信号出力手段１０５は、画像表示領域１１１に適合した画像信号１０６を送出する。画像表示領域通知手段１１３は、１０２の映像種別が別種のものに変化し、または映像解像度１１０が変化した場合、新たな画像表示領域を決定（詳細アルゴリズムについては、図１２を用いて後述する。）して画像信号出力手段１０５に通知するとともに、映像を縮小する必要の有無を判断（詳細アルゴリズムは、図１０を参照して後述する。）して、映像縮小信号を映像出力手段１０３に送出する。さらに、映像拡大の必要性の有無を判断（詳細アルゴリズムは、図１１を参照して後述する。）上記の画像表示領域通知手段１１３等は、ＣＰＵ上で稼動するプログラムにより実現される。
【００２２】
図２は映像出力手段１０３のさらに詳細な内部構造を示すブロック図である。デジタルＴＶチューナー２０１ないしＢＤ（ＤＶＤ）ドライブ２０２から出力されるＭＰＥＧ準拠のビデオ符号をＭＰＥＧ  ＡＶデコーダー２０５は復号し、デジタル映像信号として出力する。アナログＴＶチューナー２０３ないし外部入力から出力されるアナログ映像信号はＡ／Ｄ変換器２０４でＡ／Ｄ変換し、ＭＰＥＧ  ＡＶデコーダー２０５からスルーで出力する。なお、デジタルＴＶチューナー２０１、ＢＤ（ＤＶＤ）ドライブ２０２、アナログＴＶチューナーは、映像・画像出力装置１０１に内蔵せず、外部に設置する構成としてもよい。
【００２３】
図３は画像表示領域通知手段１１３がピクチャインピクチャ（以下、ＰｉｎＰと略す）でない場合に画像表示領域を判定する場合のブロック図である。映像出力手段１０３によりＭＰＥＧ復号、ないしＡ／Ｄ変換された映像信号の映像解像度、ならびに映像種別が画像表示領域通知手段１１３に出力される。画像表示領域通知手段１１３は、図１２、図１３に示す処理によって図６に従った画像表示領域を画像信号出力手段１０５に出力し、画像信号出力手段１０５は画像表示領域に従った画像を出力し、映像画像合成手段１０７は映像信号と画像信号を合成して出力する。
【００２４】
図４は画像表示領域通知手段がＰｉｎＰの場合の画像表示領域を判定する処理の説明図である。使用者によりＰｉｎＰが指定されると画像表示領域通知手段はＰｉｎＰ固有の固定解像度を画像表示領域とする。本実施の形態では固定解像度は７２０ｘ４８０とし、どのモニタ解像度にも適合する画像表示領域としている。この画像領域表示領域を画像信号出力手段に出力し、画像表示領域に適合する画像を出力し、映像信号と合成し出力する。
【００２５】
図５は画像表示領域通知手段が映像信号のない場合に画像表示領域を決定する説明図である。画像表示領域通知手段１１３は映像種別がないことを割り込みにより通知されると、本映像・画像出力装置固有の画像表示領域を画像信号出力手段１０５に出力する。本実施の形態ではこのときの画像表示領域を７２０ｘ４８０とし、どのモニタ解像度とも適合させている。
【００２６】
図６はＰｉｎＰでない場合の、映像解像度と画像表示領域の組み合わせを示す説明図である。たとえばデジタル放送の映像解像度が４８０Ｉのときでかつ、Ｄ３モニタ（社団法人日本電子情報技術産業協会（ＪＥＩＴＡ）で制定されたＤ端子規格におけるＤ３端子を持つモニタ）を接続した時の画像表示領域は横７２０、縦４８０ドットであることをしめす。同様に、デジタル放送の映像解像度が４８０Ｐで、Ｄ３モニタが接続されたときの画像表示領域は、同じく横７２０、縦４８０ドットであり、１０８０Ｉの映像解像度でＤ３モニタを接続するときの画像表示領域は、９６０ドット×５４０ドットであることが示されている。同じ１０８０Ｉの映像解像度でも、Ｄ１モニタで受けるときは、ＪＥＩＴＡ規格により、Ｄ１端子が受信できる映像解像度は、４８０Ｉであることから、７２０ドット×４８０ドットとなっている。
【００２７】
同じくＤ３モニタを使い、映像解像度が１０８０Ｉの場合の表示領域は、Ｄ３端子は１０８０Ｉの映像解像度を持つ映像を受信できるので、１９２０ｘ１０８０であるが、本装置の映像・画像合成手段の機能により９６０ｘ５４０となっている。映像解像度が７２０Ｐの場合も同じである。すなわち、図６に示す画像表示領域は、以下の考え方に基づいて定められたものである。
【００２８】
（１）第１原則
ある映像解像度（１０８０Ｉ、７２０Ｐ等）の画像が、モニタ（Ｄ３モニタ等）で受信可能なときは、当該映像解像度で決まる映像表示領域をそのまま画像表示領域とする。
【００２９】
モニタで受信できる解像度を超えるときは、当該モニタで表示できる最大の解像度（Ｄ１モニタなら、４８０Ｉ）で決まる映像表示領域を画像表示領域とする。
【００３０】
（２）第２原則
映像・画像合成手段の機能（映像・画像合成手段として用いるＬＳＩの仕様）による制限があるときは、映像表示領域を越えない範囲で、当該制限に応じ画像表示領域を設定する。
【００３１】
「１０８０Ｉ優先」と表示された欄は、使用者が映像解像度として「１０８０Ｉ優先」すなわち１０８０Ｉの解像度の映像信号を送出することを指定したことを示す。また、「アナログ放送  外部入力」とある欄は、アナログ放送または外部入力から取得した信号から生成した映像信号を用いる場合、「ＤＶＤ−ＲＡＭ  ＤＶＤ−Ｒ」とある欄は、ＤＶＤ−ＲＡＭまたはＤＶＤ−Ｒから取得した信号から生成した映像信号を用いる場合、「ＤＶＤ−Ｖｉｄｅｏ」とある欄は、ＤＶＤ−Ｖｉｄｅｏから取得した信号を用いる場合を示す。もちろん、画像表示領域は、映像解像度から決まる映像表示領域を超えないように決めればよいので、画像表示領域は、図６に示す数値に限られるわけではない。さらに、モニタの端子の規格等、規格が変更された場合は、当然図６示す映像解像度、モニタ解像度と画像表示領域設定手段の内容は変更されることになる。
【００３２】
図７は映像出力手段１０３での映像縮小の有無と映像種別、映像解像度、使用者指定の組み合わせとの関係を示した説明図である。画像表示領域通知手段が映像解像度１１０、映像種別信号１１８、モニタ解像度１１２と使用者指定解像度１１４の値をこの表と照らし合わせて、映像縮小の有無を映像縮小信号１１６として映像出力手段に伝える。ピクチャインピクチャの場合はこの図によらない。図７における、「Ｄ３」等の意味は、図６と同様である。図７における「なし」の表示は、縮小処理がないことを意味する。「７２０Ｐ→１０８０Ｉ」の標記は、７２０Ｐの解像度の映像信号を１０８０Ｉの解像度になるように縮小することを示す。他の「→」のある標記も同様の意味である。たとえば、４８０Ｉの映像解像度を持つ映像は、Ｄ１モニタでも受信可能であるから縮小する必要がなく、「４８０Ｉ」に対応するすべての欄について、「なし」となっている。４８０Ｐの映像解像度を持つ映像については、Ｄ１モニタでは、受信できないので、４８０Ｉの映像解像度を持つ映像に縮小を行なう。１０８０Ｉの映像解像度を持つ映像については、Ｄ１モニタの場合は、４８０Ｉに、Ｄ２モニタの場合は、４８０Ｐにそれぞれ受信できるように縮小を行なう。７２０Ｐの場合は、いずれのモニタもそのままでは受信できないので、すべて縮小を行なう。なお、アナログ放送、外部入力から取得した映像、ＤＶＤ−ＲＡＭ、ＤＶＤ−Ｒから取得した映像およびＤＶＤ−Ｖｉｄｅｏから映像は、すべて４８０Ｉの映像解像度を持つので、縮小する必要はなく、対応する欄はすべて、「なし」が表示されている。図７に示す映像縮小の有無と映像種別、映像解像度、使用者指定の組み合わせとの関係も、モニタの端子の規格等、規格が変更された場合は、変更されることになる。
【００３３】
図８は映像画像拡大手段１１５で用いる拡大の有無と映像種別、映像解像度、使用者指定の組み合わせとの関係を示した説明図である。図８における「Ｄ３」等の意味は、図６、図７と同様である。「４８０Ｉ→１０８０Ｉ」の標記は、４８０Ｉの解像度を持つ映像信号を１０８０Ｉに拡大することを意味する。画像表示領域通知手段１１３は画像映像拡大手段１１５に対し、１１０、１１８、１１２、１０６の値とこの図の内容を照らし合わせて、画像信号を合成した映像信号の拡大の有無を１１５に映像拡大信号１１７で伝える。図８に示されているように、「１０８０Ｉ優先」の場合、４８０Ｉまたは４８０Ｐすなわち１０８０Ｉより低い解像度の映像画像信号が入力された場合は、１０８０Ｉの解像度となるように映像画像の拡大を行なうが、その他の場合は、拡大を行なわない。図８に示す映像拡大の有無と映像種別、映像解像度、使用者指定の組み合わせとの関係も、モニタの端子の規格等、規格が変更された場合は、変更されることになる。
【００３４】
図９は、モニタの解像度と当該モニタが受信できる映像解像度の対応を示す説明図である。
【００３５】
映像・画像出力装置１０１に接続する出力モニタの解像度は受信できる映像画像信号解像度の種類によってＤ１、Ｄ２、Ｄ３と区別されている。それぞれのモニタの解像度と受信できる映像信号解像度の種類を図９に示す。図９は、ＪＥＩＴＡ規格に基づくものである。図９に示すように、Ｄ１モニタは、４８０Ｉの映像解像度の映像しか受信できない。Ｄ２モニタは、４８０Ｉに加え、４８０Ｐの映像解像度を持つ映像画像信号を受信できる。Ｄ３モニタでは、１０８０Ｉ、４８０Ｐ、４８０Ｉの映像画像信号を受信できる。図９に示す、モニタ解像度と受信できる映像画像信号の対応は、図６に示す映像解像度、モニタ解像度と画像表示領域の関連を決める前提となるものである。
【００３６】
図１０は、画像表示領域通知手段１１３が、画像縮小の必要性の有無を判断する処理を示すフローチャートであり、ステップＳ１１からステップＳ１７までで構成されている。
【００３７】
上に述べた画像縮小の有無を決定する処理の例を図１０のフローチャートを用いて説明する。画像表示領域通知手段１１３は使用者操作の内容を内部保持しており、内部保持している値によりステップＳ１１においてピクチャインピクチャ（以下ＰｉｎＰと略す）であるか判断する。
【００３８】
ＰｉｎＰの場合は使用者が指定したＰｉｎＰのサイズの縮小とする。
【００３９】
ＰｉｎＰでない場合はステップＳ１２において映像種別がデジタル放送、またはＢＤ再生であるか判断する。画像表示領域通知手段１１３は映像種別が変わった場合、映像種別割り込み１１８を受けその映像種別情報を内部保持する。その内部保持情報により、映像種別を判断する。
【００４０】
デジタル放送、ＢＤ再生のいずれかである場合、図７の表に従い映像縮小の有無を決定する。デジタル放送、でもＢＤ再生でもない場合、縮小なしとする。
【００４１】
次に映像画像拡大手段１１５が行う映像・画像信号の拡大変換有無を決定する処理の例を図１１のフローチャートを用いて説明する。ステップＳ１０１においてＰｉｎＰであるか判断する。ＰｉｎＰである場合はステップＳ１０３の処理として拡大なしとする。
【００４２】
ＰｉｎＰでない場合はステップＳ１０２において、映像種別がデジタル放送、ないしはＢＤ再生であるか判断する。映像種別がデジタル放送、ないしはＢＤ再生の場合はステップＳ１０５の処理により図８に従った拡大の有無とする。
【００４３】
映像種別がデジタル放送、ないしはＢＤ再生でない場合は、ステップＳ１０４の処理により図８に従った拡大の有無とする。
【００４４】
図１２は、画像表示領域変更通知手段１１３が行なう画像表示領域仮設定の処理を示すフローチャートであり、ステップＳ５１からステップＳ５９までで構成されている。図１３は、画像表示領域変更通知手段が行なう画像表示領域変更通知手段１１３が行なう画像表示領域変更通知の処理を示すフローチャートであり、ステップＳ７０からステップＳ７３までで構成されている。
【００４５】
前述の画像表示領域変更通知処理を図１２、図１３のフローチャートを用いて説明する。画像表示領域通知手段１１３はステップＳ５１において使用者操作によるＰｉｎＰであるか判断する。ＰｉｎＰであればステップＳ５２の処理でＰｉｎＰ固有の表示領域を画像表示領域通知手段１１３内部で仮設定する。
【００４６】
ＰｉｎＰでない場合はステップＳ５３において映像種別がアナログチューナーまたは外部入力であるか前述の内部保持情報により判断する。
【００４７】
そうである場合はステップＳ５４の処理として図６に示すアナログ映像に応じた画像表示領域を仮設定する。
【００４８】
映像種別がアナログチューナーもしくは外部入力でない場合は、ステップＳ５５において映像種別がデジタル放送であるか判断する。デジタル放送である場合はステップＳ５６の処理としてその映像解像度に応じた画像表示領域を仮設定する。
【００４９】
映像種別がデジタル放送でない場合、ステップＳ５７において映像種別が記録媒体かどうか判断する。記録媒体からの場合、ステップＳ５９の処理として記録媒体からの映像解像度に応じた画像表示領域を仮設定する。
【００５０】
どの映像種別でもない場合は、ステップＳ５８において映像出力がないとしてシステムの画像表示領域を仮設定する。
【００５１】
ステップＳ７０において上記仮設定値とモニタ解像度を比較し、仮設定値の方が大きい場合はステップＳ７１の処理としてモニタ解像度の値を仮設定する。
【００５２】
ステップＳ７２において前述の仮設定値と画像表示領域を比較し、仮設定値と画像表示領域が異なる場合は、仮設定値を新しい画像表示領域の値とし、画像表示領域を画像信号出力手段１０５に通知する。
【００５３】
上記のように、本実施の形態によれば、映像解像度とモニタ解像度の双方について多種多様な解像度が用いられる場合であっても、映像解像度とモニタ解像度の双方に適合した画像表示領域を決定し、当該領域に画像を表示することができる。
【００５４】
なお、本実施の形態にかかる映像・画像出力装置が使用している映像信号の取得源のうち、一部を欠いた構成としてもよい。たとえば、デジタル放送のみに対応すればよい場合は、２０３アナログＴＶチューナーは不要である。
【００５５】
また、使用者がモニタの解像度を指定しない構成も考えられる。この場合映像画像拡大手段１１５は不要である。
【００５６】
さらに、モニタ解像度が、用いられるすべての映像解像度の映像信号を受信できるほどに十分高解像度であれば、映像信号を縮小する処理を行なわない構成も考えられる。
【産業上の利用可能性】
【００５７】
本発明にかかる映像・画像出力装置は、多様の映像解像度、モニタ解像度、使用者の解像度指定に対応して画像表示領域を決定して表示できるので、ハイビジョン放送の記録再生機等として有用である。
【図面の簡単な説明】
【００５８】
【図１】本発明の実施の形態における映像・画像出力装置のブロック図
【図２】本発明の実施の形態における映像出力手段の内部構成を示すブロック図
【図３】本発明の実施の形態におけるＰｉｎＰがない場合の画像表示領域決定の処理を示す説明図
【図４】本発明の実施の形態におけるＰｉｎＰである場合の画像表示領域決定の処理を示す説明図
【図５】本発明の実施の形態における映像信号がない場合の画像表示領域決定の処理を示す説明図
【図６】本発明の実施の形態における画像表示領域と映像種類、映像解像度、モニタ解像度との組み合わせを示す説明図
【図７】本発明の実施の形態における映像出力手段の映像縮小の有無と映像種類、映像解像度、モニタ解像度、との組み合わせを示す説明図
【図８】本発明の実施の形態における映像・画像拡大手段の映像拡大の有無と映像種類、映像像解像度、モニタ解像度、使用者指定との組み合わせを示す説明図
【図９】本発明の実施の形態における接続モニタと受信できる解像度を示す説明図
【図１０】本発明の実施の形態における映像出力手段の映像縮小の有無を決定するアルゴリズムを示すフローチャート
【図１１】本発明の実施の形態における映像・画像拡大手段の映像拡大の有無を決定するアルゴリズムを示すフローチャート
【図１２】本発明の実施の形態における画像表示領域を仮設定するアルゴリズムを示すフローチャート
【図１３】本発明の実施の形態における画像表示領域を決定するアルゴリズムを示すフローチャート
【符号の説明】
【００５９】
１０１    映像・画像出力装置
１０２    記録媒体
１０３    映像出力手段
１０４    映像信号
１０５    画像信号出力手段
１０６    画像信号
１０７    映像画像合成手段
１０８    映像画像信号
１０９    接続モニタ
１１０    映像解像度
１１１    画像表示領域
１１２    モニタ解像度
１１３    画像表示領域通知手段
１１４    使用者指定解像度
１１５    映像画像拡大手段
１１６    映像縮小信号
１１７    映像拡大信号
１１８    映像種別信号
１１９    放送、外部入力
１２０    リモコン
１２１    拡大映像画像信号
２０１    デジタルＡＶチューナー
２０２    ＢＤ（ＤＶＤ）ドライブ
２０３    アナログＴＶチューナー
２０４    Ａ／Ｄコンバーター
２０５    ＭＰＥＧ  ＡＶデコーダー
【図１】
2006013987.tif 000003
【図２】
2006013987.tif 000004
【図３】
2006013987.tif 000005
【図４】
2006013987.tif 000006
【図５】
2006013987.tif 000007
【図６】
2006013987.tif 000008
【図７】
2006013987.tif 000009
【図８】
2006013987.tif 000010
【図９】
2006013987.tif 000011
【図１０】
2006013987.tif 000012
【図１１】
2006013987.tif 000013
【図１２】
2006013987.tif 000014
【図１３】
2006013987.tif 000015